【手続補正書】
【提出日】平成23年5月30日(2011.5.30)
【手続補正１】
【補正対象書類名】特許請求の範囲
【補正対象項目名】全文
【補正方法】変更
【補正の内容】
【特許請求の範囲】
【請求項１】
画像データと、該画像データが表す画像領域中に予め定められた複数の部分画像領域の各々に関連づけられた複数の音声データと、が含まれる再生データの入力を受け付ける入力手段と、
前記入力手段が受け付けた前記再生データから、前記複数の音声データを抽出する抽出手段と、
前記抽出手段により抽出された前記複数の音声データの少なくとも１つをユーザが選択するための選択画面を表示し、前記再生データに含まれる前記画像データが表す画像領域のうち、前記選択画面により選択された音声データに関連づけられた部分画像領域の画像を表示する表示制御手段と、
を備えることを特徴とする表示装置。
【請求項２】
前記再生データはさらに、前記複数の音声データのそれぞれに関連づけられた前記部分画像領域を示すメタデータを含み、
前記抽出手段は、前記再生データから、さらに前記メタデータを抽出し、
前記表示制御手段は、前記抽出手段により抽出されたメタデータに基づいて、前記複数の音声データのそれぞれに関連づけられた前記部分画像領域を示す情報を選択可能に前記選択画面に表示し、前記部分画像領域を示す情報のうち、ユーザが選択したものに対応する音声データに関連付けられた前記部分画像領域の画像を表示することを特徴とする請求項１に記載の表示装置。
【請求項３】
前記表示制御手段は、前記抽出手段により抽出されたメタデータの内容の変更を検出し、変更された内容に基づいて、前記選択画面における、前記複数の音声データに関連づけられた前記部分画像領域を示す情報の表示を更新することを特徴とする請求項２に記載の表示装置。
【請求項４】
前記表示制御手段は、前記複数の音声データのそれぞれと１対１で対応する複数のタブを選択可能に前記選択画面に表示し、前記複数のタブのうち、ユーザが選択したものに対応する音声データに関連付けられた前記部分画像領域の画像を表示することを特徴とする請求項１乃至３のいずれか一項に記載の表示装置。
【請求項５】
前記表示制御手段は、前記複数の音声データのそれぞれに関連づけられた前記部分画像領域の画像を、選択可能に前記選択画面に表示し、前記部分画像領域の画像のうち、ユーザが選択したものに対応する音声データに関連付けられた前記部分画像領域の画像を表示することを特徴とする請求項１乃至３のいずれか一項に記載の表示装置。
【請求項６】
前記表示制御手段は、前記選択画面として、前記画像データが表す画像領域全体の画像に、前記複数の音声データのそれぞれに関連づけられた前記部分画像領域を示す情報を選択可能に重畳表示し、前記部分画像領域を示す情報のうち、ユーザが選択したものに対応する音声データに関連付けられた前記部分画像領域の画像を表示することを特徴とする請求項１乃至３のいずれか一項に記載の表示装置。
【請求項７】
前記部分画像領域を示す情報は、該部分画像領域の輪郭を表す画像であることを特徴とする請求項６に記載の表示装置。
【請求項８】
前記再生データは予め記憶されたデータであることを特徴とする請求項１乃至７のいずれか一項に記載の表示装置。
【請求項９】
前記再生データは、動画像データと、該動画像データが表す画像領域中に予め定められた複数の部分画像領域の各々に関連づけられた複数の音声データと、が含まれるデータであることを特徴とする請求項１乃至８のいずれか一項に記載の表示装置。
【請求項１０】
前記表示制御手段は、前記選択画面により選択された音声データに関連付けられた部分画像領域の動画像の再生開始点をユーザが指示するための指示画面を表示し、前記選択画面により選択された音声データに関連付けられた動画像を前記指示画面により指示された再生開始点から表示することを特徴とする請求項９に記載の表示装置。
【請求項１１】
前記表示制御手段は、前記指示画面として、前記選択画面により選択された音声データに対応する部分画像領域の動画像における、該部分画像領域の位置および大きさの少なくとも一方の時間変化を表す履歴画像を一覧表示した画面を表示することを特徴とする請求項１０に記載の表示装置。
【請求項１２】
外部機器により送信された再生データを受信する受信手段を更に備え、
前記入力手段は、前記受信手段が受信した再生データの入力を受け付けることを特徴とする請求項１乃至１１のいずれか一項に記載の表示装置。
【請求項１３】
入力手段が、画像データと、該画像データが表す画像領域中に予め定められた複数の部分画像領域の各々に関連づけられた複数の音声データと、が含まれる再生データの入力を受け付ける入力工程と、
抽出手段が、前記入力工程で受け付けられた前記再生データから、前記複数の音声データを抽出する抽出工程と、
表示制御手段が、前記抽出工程により抽出された前記複数の音声データの少なくとも１つをユーザが選択するための選択画面を表示し、前記再生データに含まれる前記画像データが表す画像領域のうち、前記選択画面により選択された音声データに関連づけられた部分画像領域の画像を表示する表示制御工程と、
を含むことを特徴とする表示装置の制御方法。
【請求項１４】
コンピュータを、請求項１乃至請求項１２のいずれか一項に記載の表示装置の各手段として機能させるためのプログラム。
【手続補正２】
【補正対象書類名】明細書
【補正対象項目名】０００６
【補正方法】変更
【補正の内容】
【０００６】
上記目的は、画像データと、該画像データが表す画像領域中に予め定められた複数の部分画像領域の各々に関連づけられた複数の音声データと、が含まれる再生データの入力を受け付ける入力手段と、前記入力手段が受け付けた前記再生データから、前記複数の音声データを抽出する抽出手段と、前記抽出手段により抽出された前記複数の音声データの少なくとも１つをユーザが選択するための選択画面を表示し、前記再生データに含まれる前記画像データが表す画像領域のうち、前記選択画面により選択された音声データに関連づけられた部分画像領域の画像を表示する表示制御手段と、を備えることを特徴とする表示装置によって達成される。
【手続補正３】
【補正対象書類名】明細書
【補正対象項目名】０００７
【補正方法】変更
【補正の内容】
【０００７】
また、上記目的は、入力手段が、画像データと、該画像データが表す画像領域中に予め定められた複数の部分画像領域の各々に関連づけられた複数の音声データと、が含まれる再生データの入力を受け付ける入力工程と、抽出手段が、前記入力工程で受け付けられた前記再生データから、前記複数の音声データを抽出する抽出工程と、表示制御手段が、前記抽出工程により抽出された前記複数の音声データの少なくとも１つをユーザが選択するための選択画面を表示し、前記再生データに含まれる前記画像データが表す画像領域のうち、前記選択画面により選択された音声データに関連づけられた部分画像領域の画像を表示する表示制御工程と、を含むことを特徴とする表示装置の制御方法によっても達成される。
【手続補正４】
【補正対象書類名】明細書
【補正対象項目名】００４１
【補正方法】変更
【補正の内容】
【００４１】
メタデータファイルは、各音声データの部分画像領域の変化をタイムスタンプと共に記録したデータである。従って、メイン制御部１０３は、メタデータファイルからメタデータを抽出し、その抽出したメタデータを用いて動画像データを解析することで、動画の切り出しタイミングとそのタイミングでの部分画像領域を特定することが可能となる。